(57)【特許請求の範囲】
【請求項１】
壁面に取付けて手前へ張り出した左右のブラケットにカウンター本体を連結し、カウンター本体は、その上面の手前側に左右へ延びる縁部が設けられ、縁部の内側の左右中央寄りに左右方向へ延びる排水口が設けられ、この排水口の左右両端に隣接する部分が各ブラケットで支持されていることを特徴とする浴室の洗い場用カウンター。
【請求項２】
前記カウンター本体は、前記縁部の内側に縁部に沿ってカウンター本体上面より低い横長排水路が凹設され、横長排水路に前記排水口が設けられ、横長排水路の排水口に沿う手前の側壁と縁部の下垂片の間に挟み込まれて補強具が配置され、補強具をカウンター本体に固定した請求項１記載の浴室の洗い場用カウンター。
【請求項３】
前記カウンター本体は、その下面側の前記排水口の回りの部分にリブが設けられ、その下面側に排水口の回りの部分を覆う大きさの補強具がリブに当接させて配置され、補強具をカウンター本体に固定した請求項１記載の浴室の洗い場用カウンター。
【請求項４】
前記カウンター本体は、前記縁部の内側に縁部に沿ってカウンター本体上面より低い横長排水路が凹設され、横長排水路に前記排水口が設けられ、カウンター本体下面側の排水口の回りの部分にリブが設けられ、カウンター本体下面側に補強具がリブに当接させて配置され、この補強具は、横長排水路の排水口に沿う手前の側壁と縁部の下垂片の間に挟み込んだ部分と、排水口の回りの部分を覆う部分とを備え、カウンター本体に固定してある請求項１記載の浴室の洗い場用カウンター。
【請求項５】
前記カウンター本体の下方に配置して手前側をカウンター本体に接合したカバーを備え、前記ブラケット及び前記補強具をカウンター本体及びカバーで覆い隠した請求項２、３又は４記載の浴室の洗い場用カウンター。
【発明の詳細な説明】
【技術分野】
【０００１】
本発明は、浴室に設けられる洗い場用カウンターに関するものである。
【背景技術】
【０００２】
従来、浴室の洗い場用カウンターは、カウンター上面が壁面側から手前下がりに傾斜し、カウンター手前側に左右に長い縁部が設けられると共に、この縁部の内側に、この縁部に沿って湯水を案内し、排出する溝部が設けられ、上記縁部自身が湯水の水返しを形成するものであり、上記縁部がカウンターの一端から他端にかけて設けられるとともに、この縁部の内側に形成された溝部の一方の端部に洗い場に排水する排出口が設けられている（特許文献１）。
【特許文献１】特開２００５−５２３１０号公報
【発明の開示】
【発明が解決しようとする課題】
【０００３】
ところで、前記洗い場用カウンターは、溝部の端部に排出口が設けられているため、排水の能力に限界があり、カウンター上面に多量の水が流れ込んだとき、カウンター上面の水下側に水が溜まりやすい。この問題の解決策としては、縁部の内側の左右中央寄りに左右方向へ延びる排水口を設けて排水能力を大きくしすることが考えられる。
【０００４】
しかし、上記解決策では、縁部のうち排水口に沿った部分に使用者等による押圧力が加わったとき、排水口の両端に隣接するカウンターの部分に大きな力が伝達するため、この部分に損傷等の問題を生じさせないための新たな対処が必要になる。
そこで、本発明は、簡単な構造で新たな対処ができる構造の浴室の洗い場用カウンターを提供するものである。
【課題を解決するための手段】
【０００５】
簡単な構造で対処できるようにするために請求項１記載の本発明が採用した手段は、壁面に取付けて手前へ張り出した左右のブラケットにカウンター本体を連結し、カウンター本体は、その上面の手前側に左右へ延びる縁部が設けられ、縁部の内側の左右中央寄りに左右方向へ延びる排水口が設けられ、この排水口の左右両端に隣接する部分が各ブラケットで支持されていることを特徴とする浴室の洗い場用カウンターである。
【０００６】
縁部の内の排水口に沿って延びる部分の近辺を簡単な構造で補強するために請求項２記載の本発明が採用した手段は、前記カウンター本体は、前記縁部の内側に縁部に沿ってカウンター本体上面より低い横長排水路が凹設され、横長排水路に前記排水口が設けられ、横長排水路の排水口に沿う手前の側壁と縁部の下垂片の間に挟み込まれて補強具が配置され、補強具をカウンター本体に固定した請求項１記載の浴室の洗い場用カウンターである。なお、補強具の固定は、補強具の左右両端側を、カウンター本体の下面側に設けたリブと前記ブラケットで挟んで行なうとよい。
【０００７】
排水口の周囲を簡単な構造で補強するために請求項３記載の本発明が採用した手段は、前記カウンター本体は、その下面側の前記排水口の回りの部分にリブが設けられ、その下面側に排水口の回りの部分を覆う大きさの補強具がリブに当接させて配置され、補強具をカウンター本体に固定した請求項１記載の浴室の洗い場用カウンターである。なお、補強具の前記固定は、補強具の左右両端側をリブとブラケットで挟んで行なうとよい。
【０００８】
縁部の内の排水口に沿って延びる部分の近辺、及び排水口の周囲を簡単な構造で補強するために請求項４記載の本発明が採用した手段は、前記カウンター本体は、前記縁部の内側に縁部に沿ってカウンター本体上面より低い横長排水路が凹設され、横長排水路に前記排水口が設けられ、カウンター本体下面側の排水口の回りの部分にリブが設けられ、カウンター本体下面側に補強具がリブに当接させて配置され、この補強具は、横長排水路の排水口に沿う手前の側壁と縁部の下垂片の間に挟み込んだ部分と、排水口の回りの部分を覆う部分とを備え、カウンター本体に固定してある請求項１記載の浴室の洗い場用カウンターである。なお、補強具の前記固定は、補強具をリブとブラケットで挟んで行なうとよい。      
【０００９】
見栄えよくカウンターを構成するために請求項５記載の本発明が採用した手段は、前記カウンター本体の下方に配置して手前側をカウンター本体に接合したカバーを備え、前記ブラケット及び前記補強具をカウンター本体及びカバーで覆い隠した請求項２、３又は４記載の浴室の洗い場用カウンターである。
【発明の効果】
【００１０】
請求項１記載の本発明に係る浴室の洗い場用カウンターは、排水口の左右両端に隣接するカウンター本体の部分に大きな力が伝達しても、その大きな力をブラケットで支持して壁面へ伝達するので、この部分に損傷等の問題を生じさせることはない。その結果、本発明は、排水口の左右両端に隣接しする部分をブラケットで支持する簡単な構造で対処することができる。
【００１１】
請求項２記載の本発明に係る浴室の洗い場用カウンターは、縁部の内の排水口に沿って延びる部分の近辺を補強具で簡単に補強することができる。
【００１２】
請求項３記載の本発明に係る浴室の洗い場用カウンターは、排水口の周囲を補強具で簡単に補強することができる。
【００１３】
請求項４記載の本発明に係る浴室の洗い場用カウンターは、縁部の内の排水口に沿って延びる部分の近辺及び排水口の周囲を補強具で簡単に補強することができる。
【００１４】
請求項５記載の本発明に係る浴室の洗い場用カウンターは、ブラケット及び補強具がカウンター本体及びカバーで覆い隠されて露出しないため見栄えがよい。
【発明を実施するための最良の形態】
【００１５】
本発明に係る浴室の洗い場用カウンター（以下、「本発明カウンター」と言う。）を図面に示す実施形態に基づいて説明する。
【００１６】
（第１の実の形態）
図１乃至図１０は本発明カウンターの第１の実施の形態を示すものであって、図１はカウンター本体３の一部を破断して本発明カウンター１の全体を示す平面図、図２は本発明カウンター１の全体の底面図である。図３は上方のカウンター本体３、下方のカバー４及び端キャップ５を示すものであって、図（Ａ）は三者３，４，５を分離した状態の正面図、図（Ｂ）は三者３，４，５を連結した状態の正面図である。図４は図２のＩＶ−ＩＶ線で断面し拡大して示す左側面図、図５は図２のＶ−Ｖ線で断面し拡大して示す左側面図、図６は図２のＶＩ−ＶＩ線で断面した一部を拡大して示す左側面図、図７は図２のＶＩＩ−ＶＩＩ線で断面した一部を拡大して示す左側面図、図８は図２のＶＩＩＩ−ＶＩＩＩ線で断面した一部を拡大して示す左側面図である。図９はカウンター本体３の底面図である。図１０はカウンター本体３及びブラケット６，６，７を分離して示す斜視図である。
【００１７】
本発明カウンター１は、図１及び図４示す如く、取付壁面Ｗに強固に取付けて手前へ張り出したブラケット６，６，７にカウンター本体３を連結し、カウンター本体３の上面３ａ（以下、「カウンター上面３ａ」と言う。）の手前側に左右へ延びる縁部３ｇが領域Ｇに設けられ、この縁部３ｇの内側の左右中央寄りに、左右方向へ延びる排水口２ｂが設けられ、この排水口２ｂの左右両端に隣接する部分３ｍ，３ｎ（図９、図４参照）が各ブラケット６で支持されている。従って、本発明カウンター１は、縁部３ｇの内の排水口２ｂに沿って延びる部分に使用者の寄り掛かり等で大きな力が加わって、その大き力が排水口２ｂの左右両端に隣接するカウンター本体３の部分３ｍ，３ｎに伝達しても、その伝達した大きな力をブラケット６，６で支持するので、この部分３ｍ，３ｎに損傷等の問題を生じさせることはない。上記縁部３ｇは、カウンター上面１ａの手前側よりも上方へ突出する堤状に形成することで、カウンター上面３ａを手前側へ流れてきた湯水を受け止める水返しの機能と、カウンター上面３ａに載置した湯桶Ｒ（図１参照）等が手前側から落下するのを防止する機能とを発揮するようにしてある。
【００１８】
本発明カウンター１は、図１及び図５に示す如く、カウンター上面３ａが後側（取付壁面Ｗ側）から手前下がりに傾斜し、縁部３ｇの内側に縁部３ｇに沿ってカウンター上面３ａより低い横長排水路２が凹設されている共に、縁部３ｇに沿って延びると共に上下方向へ延びる縦排水路１２が設けられている。横長排水路２は、縦排水路１２に連なる排水口２ｂを開設した開口領域Ｊと、開口領域Ｊへ向かって下る排水勾配を形成した底面２ａのある有底領域Ｋとが形成され、開口領域Ｊの縁部３ｇに沿う長さ寸法Ｔ（図１参照）が、有底領域Ｋと開口領域Ｊの境界における有底領域Ｋの横断方向に沿う横長排水路２の幅寸法Ｕ（両領域Ｊ，Ｋの境界における有底領域Ｋの部分を示す図６も参照）よりも大きくなっている。また、開口領域Ｊの開口部２ｂの開口平面積Ｍ（図１参照）は、有底領域Ｋと開口領域Ｊとの境界の有底領域Ｋにおける横長排水路２の横断面積Ｎ（図６参照）よりも大きくなっている。本例の本発明カウンター１は、図１に示す如く、縁部３ｇを手前へ張り出させるように手前外側面を湾曲状に形成すると共に、縁部３ｇの内側の横長排水路２も手前へ張り出させるように湾曲状に形成しある。また、本発明カウンター１は、左側領域Ｈが水栓取付域又はシャンプー等の載置域となっており、右側領域Ｌがシャンプー等の載置域となっている。
【００１９】
本発明カウンター１は、図１に示す如く、カウンター上面３ａを流れて横長排水路２の開口領域Ｊへ向かった水を縦排水路１２から排出する直接排水経路Ｐと、カウンター上面３ａを流れて横長排水路２の有底領域Ｋへ向かった水を排水勾配のある底面２ａで一旦受けた後に縦排水路１２へ導いて排出する迂回排水経路Ｑとの二通りの排水経路Ｐ，Ｑが形成されるので、カウンター上面３ａを下って流れる水を二通りの排水経路Ｐ，Ｑへ分散させて排出することができると共に、開口領域Ｊの縁部３ｇに沿う長さ寸法Ｔを横長排水路２の有底領域Ｋにおける横断方向に沿う幅寸法Ｕ（図６参照）よりも大きくし（例えば、ＴをＵの５〜１５倍）、また開口部２ｂの開口平面積Ｍ（図１参照）を横長排水路２の有底領域Ｋにおける横断面積Ｎ（図６参照）よりも大きく（例えば、ＭをＮの４〜１４倍）することで、二通りの排水経路Ｐ，Ｑの各々を流れる水を迅速に排出することが可能となり、排水能力を従来に比べて増大させることができる。
【００２０】
本発明カウンター１は、図１に示す如く、横長排水路２の左右中央寄りに開口領域Ｊを形成すると共に開口領域Ｊの左右両外側の各々に有底領域Ｋを形成することで、中央寄り直接排水経路Ｐと左右に形成される二つの迂回排水経路Ｑ，Ｑとが相まって水を円滑に排出するので、カウンター上面３ａの水下側の領域Ｇ（横長排水路２を形成した左右領域）の全域にわたって水を溜まり難くすることができる。
【００２１】
本発明カウンター１は、図１乃至図４及び図１０に示す如く、カウンター上面３ａを形成したカウンター本体３と、カウンター本体３を支持するブラケット６，６，７と、カウンター本体３の下方に配置してカウンター本体３へ接合したカバー４とを備え、カウンター本体３の下面側に横長排水路２の排水口２ｂと連なる縦排水接合部３ｄを形成すると共にカバー４の内側に縦排水路形成部４ｄを形成し、これら排水口２ｂと縦排水接合部３ｄを接合して縦排水路１２を形成し、ブラケット６（７）及び縦排水路形成部４ｄの外側面４ｄ−１をカウンター本体３及びカバー４で覆い隠してカウンター手前外側から見えないようにしてある。このように、本発明カウンター１は、ブラケット６（７）及び縦排水路形成部４ｄの外側面４ｄ−１がカウンター本体３及びカバー４で覆い隠されて露出しないため、見栄えがよい。本発明カウンター１は、湯桶Ｒ（図１参照）等を載置する等して利用されるものであって、一方の端（本例は左端）を浴槽（図示略）に接近さて塞ぐと共に他方の端（本例は右端）に端キャツプ５を取付けて見栄えよくしてある。
【００２２】
前記上方のカウンター本体３は、図１、図４及び図９に示す如く、合成樹脂素材を射出成型する等して成形され、上方表面３ａに載置面が形成され、周縁の適所に下垂片３ｂが形成され、下方裏面に前後及び左右へ延びる補強用リブ３ｃ、柱状のネジ螺着部３ｅ及び後側の係止片３ｆが形成され、下方裏面の手前側に横長排水路２の開口部２ｂに連なる縦排水路接合部３ｄが形成されている。ネジ螺着部３ｅは、その大きさが、止め付けるネジの大きさに対応するようになっている。カウンター本体３は、補強用リブ３ｃを形成することで軽量化して曲げ剛性を大きくしてある。
【００２３】
前記下方のカバー４は、図２及び図４に示す如く、合成樹脂素材を射出成型する等して成形され、下方表面４ａで覆い面が形成され、周縁の適所に形成した起立片４ｂと、上方内面に形成して前後及び左右へ延びる補強用リブ４ｃと、取付壁面Ｗ側寄りに形成した壁側接合部４ｆと、手前側中央寄りに形成した縦排水路形成部４ｄとを備えている。縦排水路形成部４ｄは、内側に上下貫通する縦排水路１２を形成すると共に、その外側面４ｄ−１をカバー４の内側に露出させてある。カバー４は、上記壁側接合部４ｆを形成するために、底面壁側寄りに側面形状が三角形の凹部４ｇが凹設され、凹部４ｇの後側を接合片４ｆ−１で形成し、接合片４ｆ−１を壁側へ向かって下り傾斜させ、接合片４ｆ−１に取付具用挿通孔４ｆ−２を設けてある。カバー４は、凹部４ｇの上側を形成する傾斜片４ｈを壁側へ向かって上り傾斜させ、螺子やねじ込み式ジョイン部材等からなる取付具８をねじ込みむドライバーやソケットレンチ等からなるねじ込み作業工具（図示略）を傾斜片４ｈと接触させないようにしてある。カバー４は、補強用リブ４ｃを形成することで軽量化して曲げ剛性を大きくしてある。
【００２４】
前記ブラケット６は、図１０に示す如く、金属板を折曲げ等して板金加工で成形され、起立接合片６ａと、起立接合片６ａの壁側の側縁から折曲げて延設した垂直な壁取付片６ｂと、起立接合片６ａの上方側縁から折曲げて延設した水平なカウンター本体取付片６ｃと、壁取付片６ｂの上方から延設した弾性変形する押圧片６ｄと、壁取付片６ｂの下方から手前側へ延設した壁側取付部６ｆの取付片６ｆ−１とを備え、壁取付片６ｂ及びカウンター本体取付片６ｃの各々にネジ挿通孔６ｅを設けると共に、取付片６ｆ−１に雌ネジ孔等からなる取付具部６ｆ−２を設けてある。起立接合片６ａは、内側に開口部を成形して軽量化を図っている。前記ブラケット７は、上記ブラケット６よりも張出寸法を短くしたものであり、上記ブラケット６と同様に成形され、起立接合片７ａと、起立接合片７ａの壁側の側縁から折曲げて延設した壁取付片７ｂと、起立接合片７ａの上方側縁から折曲げて延設したカウンター本体取付片７ｃと、壁取付片７ｂの上方から延設した弾性変形する押圧片７ｄと、壁取付片７ｂの下方から手前側へ延設した壁側取付部７ｆの取付片７ｆ−１とを備え、壁取付片７ｂ及びカウンター本体取付片７ｃの各々にネジ挿通孔７ｅを設けてある。ブラケット６（７）は、図４に示す如く、壁パネル等からなる取付壁面Ｗにネジ１４で取付固定される。
【００２５】
前記カウンター本体３、カバー４及びブラケット６（７）からなる本発明カウンター１の組立ては、壁面Ｗにネジ１４で強固に取付け固定したブラケット６（７）にカウンター本体３を載置してネジ９（本例は図４に示す蝶ボルト）で連結し、カウンター本体３の周縁の下垂片３ｂに下方のカバー４の周縁の起立片４ｂを重ね合わせて接合すると共に、カウンター本体３及びカバー４の手前側の適所をネジ１０（本例は図５及び図７に示す頭部付きボルト）及び係合手段１１（図８参照）で連結すると共に、カバー４の壁側接合部４ｆに形成した接合片４ｆ−１を各ブラケット６（７）の壁側取付部６ｆ（７ｆ）に形成した取付片６ｆ−１（７ｆ−１）に取付具８（本例は図４に示す頭部付きボルト）で連結し、カウンター本体３の縦排水路接合部３ｄ及びカバー４の縦排水形成部４ｄで上下に貫通した前記縦排水路１２を形成する。上記係合手段１１は、図３（Ａ）及び図８に示す如く、カバー４の周縁の起立片４ｂの適所から突出した係止孔付き係止片１３ａと、カウンター本体３の周縁の下垂片３ｂの裏側に突設した突起１３ｇとからなり、係止片１３ａの係止孔に突起１３ｇを係入してある。なお、カバー４は、その手前側をカウンター本体３にの手前側に連結する以外に、図示は省略したが、ブラケット６（７）に連結することもある。
【００２６】
（第２の実施の形態）
図１１乃至図１４は、本発明カウンターの第２の実施の形態を示すものであって、図１１（Ａ）は本実施の形態に係る本発明カウンター２１のカバー４を破断して示す底面図、同図（Ｂ）は補強具２２の底面図、同図（Ｃ）は補強具２２の正面図である。図１２は図１１（Ａ）のＸＩＩ−ＸＩＩ線で断面した一部を拡大して示す左側面図、図１３は図１１（Ａ）のＸＩＩＩ−ＸＩＩＩ線で断面した一部を拡大して示す左側面図、図１４は図１１（Ａ）のＸＩＶ−ＸＩＶ線で断面した一部を拡大して示す左側面図である。
【００２７】
本実施の形態に係る本発明カウンター２１が前記第１の実施の形態に係る本発明カウンター１（図１乃至図１０参照）と大きく異なる点は、カウンター本体３における横長排水路２の排水口２ｂに沿う手前の側壁２ｃと縁部３ｇを形成する手前の下垂片３ｂの間に補強具２２を挟み込んで配置し、補強具２２をカウンター本体３に固定したことであり、その他の構成等については第１の実施の形態と実質的に同一であり、図１１乃至図１４において図１乃至図１０と同一符号は相当部分を示す。
【００２８】
上記補強具２２は、図１１（Ｂ）、（Ｃ）に示す如く、ステンレススチール等の金属板材等から成形され、起立状態で湾曲した帯板状の主体部２２ａと、主体部２２ａの両端寄りから後側へ延設した水平板状の端側固定部２２ｂ，２２ｂと、主体部２２ａの中央寄りから後側へ延設した水平板状の中央側固定部２２ｃからなり、各端側固定部２２ｂに外嵌孔２２ｄを設けると共に中央側固定部２２ｃにビス孔２２ｅを設けてある。補強具２２は、図１１（Ａ）及び図１３に示す如く、カウンター本体３における横長排水路２の手前の側壁２ｃと下垂片３ｂの間に主体部２２ａを挟み込み、中央側固定部２２ｃをカウンター本体３のネジ螺着部３ｅにビス２３で連結し、図１２に示す如く、各端側固定部２２ｂの外嵌孔２２ｄをカウンター本体３のネジ螺着部３ｅに外嵌すると共に、各端側固定部２２ｂをリブ３ｃとブラケット６の取付片６ｃの手前側で挟んで固定してある。補強具２２の前記挟み込みは、図１１（Ａ）及び図１３に示す如く、横長排水路２の手前の側壁２ｃに接合した複数個のネジ螺着部３ｅに補強具２２の主体部２２ａの後側面を当接させて行われ、縁部３ｇに加わった力を主体部２２ａへ伝達させるようにしてある。なお、横長排水路２の手前の側壁２ｃは、縁部３ｇの後側に連なっている（図１３参照）。
【００２９】
カウンター本体３は、図１１（Ａ）に示す如く、壁面Ｗに取付け固定したブラケット６，６，７（図中に二点鎖線で示す）に載置する前に、下面側に配置した補強具２２をネジ２３で連結して脱落させないようにしてある。カウンター本体３は、図１２に示す如く、下面側に設けた補強用リブ３ｃに段部３ｃ−１を形成し、段部３ｃ−１に沈め込ませた補強具２２の端側固定部２２ｂを、ネジ９で連結したブラケット６と段部３ｃ−１とで挟持して、補強具２２を強固に固定してある。
【００３０】
本発明カウンター２１は、第１の実施の形態と同様にカウンター本体３における排水口２ｂの左右両端に隣接する部分３ｍ，３ｎ（図１１（Ａ）及び図１２参照）が各ブラケット６で支持されている。また、本発明カウンター２１は、カウンター本体３における縁部３ｇの内の排水口２ｂに沿って延びる下垂片３ｂの部分の近辺を補強具２２でバックアップされて、排水口２ｂに沿った縁部３ｇの部分が補強されている。従って、本発明カウンター２１は、縁部３ｇの内の排水口２ｂに沿って延びる部分に使用者の寄り掛かり等で大きな力が加わったとしても、その大きな力が縁部３ｇ及び補強具２２を伝達して排水口２ｂの左右両端に隣接するカウンター本体３の部分３ｍ，３ｎへ至ってブラケット６，６で支持されるので、排水口２ｂに沿った縁部３ｇの部分及び排水口２ｂの左右両端に隣接する部分３ｍ，３ｎに損傷等の問題を生じさせることはない。
【００３１】
（第３の実施の形態）
図１５乃至図１７は、本発明カウンターの第３の実施の形態を示すものであって、図１５（Ａ）は本実施の形態に係る本発明カウンター３１のカウンター本体３の中央寄り部分を示す底面図、同図（Ｂ）は補強具３２の底面図である。図１６は図１５（Ａ）のＸＶＩ−ＸＶＩ線で断面した一部を拡大して示す左側面図である。図１７は図１５（Ａ）のＸＶＩＩ−ＸＶＩＩ線で断面した一部を拡大して示す左側面図である。
【００３２】
本実施の形態に係る本発明カウンター３１が前記第１の実施の形態に係る本発明カウンター１と大きく異なる点は、カウンター本体３の下面側の排水口２ｂの回りの部分にリブ３ｃを設け、カウンター本体３の下面側に排水口２ｂの回りの部分を覆う大きさの補強具３２をリブに当接させて配置し、補強具３２をカウンター本体３に固定したことであり、その他の構成等については第１の実施の形態と実質的に同一であり、図１５乃至図１７において図１乃至図１０と同一符号は相当部分を示す。
【００３３】
上記補強具３２は、図１５（Ａ）（Ｂ）に示す如く、ステンレススチール等の金属板材等から平板状に成形され、カウンター本体３の手前側の下垂片３ｂの内側に沿うように湾曲形成した手前縁３２ｆと、カウンター本体３の下面側に形成した湾曲長口状の縦排水路接合部３ｄ（横長排水路２の開口部２ｂに連なるもの）に外嵌する湾曲長孔３２ｇと、湾曲長孔３２ｇの左右外側に形成した端固定部３２ｈ，３２ｈと、カウンター本体３の下面側に形成した各ネジ螺着部３ｅに対応する位置に設けた複数個の外嵌孔３２ｄと、手前左右両側寄りに設けたビス孔３２ｅ，３２ｅとを備えている。補強具３２の配置は、カウンター本体３の縦排水路接合部３ｄに湾曲長孔３２ｇを外嵌させると共に、カウンター本体３の下面側のネジ螺着部３ｅに対応する外嵌孔３２ｄを外嵌させ、カウンター本体３の下面側のリブ３ｃに当接させて行われる。
【００３４】
カウンター本体３は、図１５（Ａ）に示す如く、壁面Ｗ（図１参照）に強固に取付け固定したブラケット６，６（図中に二点鎖線で示す）に載置する前に、下面側に配置した補強具３２をネジ３３，３３で連結して脱落させないようにしてある。カウンター本体３は、図１６に示す如く、下面側に設けた補強用リブ３ｃに段部３ｃ−１を形成し、段部３ｃ−１に沈め込ませた補強具３２の端側固定部３２ｈを、ネジ９で連結したブラケット６とリブ３ｃで挟持してある。このように補強具３２は、カウンター本体３に対して、ネジ３３，３３による取付け、及びネジ９で連結した左右の各ブラケット６とリブ３ｃの挟持で固定が行われると、カウンター本体３の下面側の排水口２ｂの回りの部分に設けたリブ３ｃに当接して、排水口２ｂの回りを補強する。
【００３５】
本発明カウンター３１は、第１の実施の形態と同様にカウンター本体３における排水口２ｂの左右両端に隣接する部分３ｍ，３ｎ（図１５（Ａ）及び図１６参照）が各ブラケット６で支持されている。また、本発明カウンター３１は、カウンター本体３に補強具３２を固定することで、カウンター本体３の排水口２ｂの回りの部分が補強具３２で補強されることになる。従って、本発明カウンター３１は、縁部３ｇの内の排水口２ｂに沿って延びる部分に使用者の寄り掛かり等で大きな力が加わったとしても、その大きな力がカウンター本体３における排水口２ｂの回りの部分及び補強具２２を伝達して排水口２ｂの左右両端に隣接するカウンター本体３の部分３ｍ，３ｎ（図１５（Ａ）及び図１６参照）へ至ってブラケット６，６で支持されるので、排水口２ｂの回りの部分及び排水口２ｂの左右両端に隣接する部分３ｍ，３ｎに損傷等の問題を生じさせることはない。
【００３６】
（第４の実施の形態）
図１８乃至図２０は、本発明カウンターの第４の実施の形態を示すものであって、図１８（Ａ）は本発明カウンター４１のカウンター本体３の中央寄り部分を示す底面図、同図（Ｂ）は補強具４２の底面図、同図（Ｃ）は補強具４２の正面図である。図１９は図１８（Ａ）のＸＩＸ−ＸＩＸ線で断面した一部を拡大して示す左側面図である図２０は図１８（Ａ）のＸＸ−ＸＸ線で断面した一部を拡大して示す左側面図である。
【００３７】
本実施の形態に係る本発明カウンター４１が前記第１の実施の形態に係る本発明カウンター１と大きく異なる点は、カウンター本体３の下面側の排水口２ｂの回りの部分にリブ３ｃを設け、カウンター本体３の下面側に排水口２ｂの回りの部分を覆う大きさの補強具４２をリブに当接させて配置し、この補強具４２が、カウンター本体３における横長排水路２の排水口２ｂに沿う手前の側壁２ｃと縁部３ｇを形成する手前の下垂片３ｂの間に挟み込んだ部分である手前湾曲板部４２ｋと、排水口２ｂの回りの部分を覆う部分である平板部４２ｉとを備え、カウンター本体３に固定されていることであり、その他の構成等については第１の実施の形態と実質的に同一であり、図１８乃至図２０において図１乃至図１０と同一符号は相当部分を示す。
【００３８】
上記補強具４２は、図１８（Ａ）（Ｂ）に示す如く、ステンレススチール等の金属板材等から成形され、排水口２ｂの回りの部分を覆う大きさの平板部４２ｉと、平板部４２ｉの手前縁から起立状態で延設し、カウンター本体３の手前側の下垂片３ｂの内側に沿うように湾曲形成した手前湾曲板部４２ｋとを備えている。そして平板部４２ｉは、カウンター本体３の下面側に形成した湾曲長口状の縦排水路接合部３ｄ（横長排水路２の開口部２ｂに連なるもの）に外嵌する湾曲長孔４２ｇと、湾曲長孔４２ｇの左右外側に形成した端固定部４２ｈ，４２ｈと、カウンター本体３の下面側に形成した各ネジ螺着部３ｅに対応する位置に設けた複数個の外嵌孔４２ｄと、手前左右両側寄りに設けたビス孔４２ｅ，４２ｅとを備えている。
【００３９】
補強具４２の配置は、図１８（Ａ）及び図２０に示す如く、カウンター本体３における横長排水路２の手前の側壁２ｃと下垂片３ｂの間に手前湾曲板部４２ｋを挟み込ませ、カウンター本体３の縦排水路接合部３ｄに湾曲長孔４２ｇを外嵌させ、カウンター本体３の下面側のネジ螺着部３ｅに対応する外嵌孔４２ｄを外嵌させ、そしてカウンター本体３の下面側のリブ３ｃに当接させて行う。手前湾曲板部４２ｋの前記挟み込みは、図１８（Ａ）及び図２０に示す如く、横長排水路２の手前の側壁２ｃに直接若しくはリブ３ｃを介して接合した複数個のネジ螺着部３ｅ、及び側壁２ｃに接合したリブ３ｃに補強具２２の主体部２２ａの後側面を当接させて行われ、縁部３ｇに加わった力を手前湾曲板部４２ｋへ伝達させるようにしてある。
【００４０】
カウンター本体３は、図１８（Ａ）に示す如く、壁面Ｗ（図１参照）に取付け固定したブラケット６，６（図中に二点鎖線で示す）に載置する前に、下面側に配置した補強具４２をネジ４３，４３で連結して脱落させないようにしてある。カウンター本体３は、図１９に示す如く、下面側に設けた補強用リブ３ｃに段部３ｃ−１を形成し、段部３ｃ−１に沈め込ませた補強具４２の端側固定部４２ｈを、ネジ９で連結したブラケット６とリブ３ｃで挟持してある。このように補強具４２は、カウンター本体３に対して、ネジ４３，４３による固定と、ネジ９で連結した左右の各ブラケット６とリブ３ｃの挟持による固定とが行われ、カウンター本体３の下面側の排水口２ｂの回りの部分に設けたリブ３ｃに当接して、排水口２ｂの回りを補強する。
【００４１】
本発明カウンター４１は、第１の実施の形態と同様にカウンター本体３における排水口２ｂの左右両端に隣接する部分３ｍ，３ｎ（図１８（Ａ）及び図１９参照）が各ブラケット６で支持されている。また、本発明カウンター４１は、カウンター本体３に補強具４２を固定することで、カウンター本体３における縁部３ｇの内の排水口２ｂに沿って延びる下垂片３ｂの部分の近辺を補強具４２の手前湾曲板部４２ｋでバックアップして排水口２ｂに沿った縁部３ｇの部分が補強されると共に、カウンター本体３の排水口２ｂの回りの部分が補強具４２の平板部４２ｉで補強されている。従って、本発明カウンター４１は、縁部３ｇの内の排水口２ｂに沿って延びる部分に使用者の寄り掛かり等で大きな力が加わったとしても、その力が、排水口２ｂに沿った縁部３ｇの部分、カウンター本体３における排水口２ｂの回りの部分及び補強具４２を伝達して排水口２ｂの左右両端に隣接するカウンター本体３の部分３ｍ，３ｎ（図１８（Ａ）及び図１９参照）へ至ってブラケット６，６で支持されるので、排水口２ｂの回りの部分及び排水口２ｂの左右両端に隣接する部分３ｍ，３ｎに損傷等の問題を生じさせることはない。
【００４２】
（その他の実施の形態）
なお、本発明カウンターは、図示は省略したが、カバー４を省略して、カウンター本体３の下面側に排水口２ｂに通じる適宜長さの縦排水路成形部を設けると共に、手前側の下垂片３ｂの高さ寸法を大きくして、ブラケット６（７）、補強具２２（３２，４２）及び縦排水路成形部を見え難く構成することも可能である。
【図面の簡単な説明】
【００４３】
【図１】本発明の第１の実施の形態を示すものであって、本発明カウンターを一部破断して示す全体の平面図である。
【図２】第１の実施の形態に係る本発明カウンターの全体の底面図である。
【図３】第１の実施の形態のカウンター本体、カバー及び端キャップを示すものであって、図（Ａ）は三者を分離した状態の正面図、図（Ｂ）は三者を連結した状態の正面図である。
【図４】図２のＩＶ−ＩＶ線で断面し拡大して示す左側面図である。
【図５】図２のＶ−Ｖ線で断面し拡大して示す左側面図である。
【図６】図２のＶＩ−ＶＩ線で断面した一部を拡大して示す左側面図である。
【図７】図２のＶＩＩ−ＶＩＩ線で断面した一部を拡大して示す左側面図である。
【図８】図２のＶＩＩＩ−ＶＩＩＩ線で断面した一部を拡大して示す左側面図である。
【図９】第１の実施の形態のカウンター本体の底面図である。
【図１０】第１の実施の形態のカウンター本体及びブラケットを分離して示す斜視図である。
【図１１】本発明の第２の実施の形態を示すものであって、図（Ａ）は本実施の形態に係る本発明カウンターのカバーを破断して示す底面図、図（Ｂ）は補強具の底面図、図（Ｃ）は補強具の正面図である。
【図１２】図１１（Ａ）のＸＩＩ−ＸＩＩ線で断面した一部を拡大して示す左側面図である。
【図１３】図１１（Ａ）のＸＩＩＩ−ＸＩＩＩ線で断面した一部を拡大して示す左側面図である。
【図１４】図１１（Ａ）のＸＩＶ−ＸＩＶ線で断面した一部を拡大して示す左側面図である。
【図１５】本発明の第３の実施の形態を示すものであって、図（Ａ）は本実施の形態に係る本発明カウンターのカウンター本体の中央寄り部分を示す底面図、図（Ｂ）は補強具の底面図である。
【図１６】図１５（Ａ）のＸＶＩ−ＸＶＩ線で断面した一部を拡大して示す左側面図である。
【図１７】図１５（Ａ）のＸＶＩＩ−ＸＶＩＩ線で断面した一部を拡大して示す左側面図である。
【図１８】本発明の第４の実施の形態を示すものであって、図（Ａ）は本実施の形態に係る本発明カウンターのカウンター本体の中央寄り部分を示す底面図、図（Ｂ）は補強具の底面図、図（Ｃ）は補強具の正面図である。
【図１９】図１８（Ａ）のＸＩＸ−ＸＩＸ線で断面した一部を拡大して示す左側面図である。
【図２０】図１８（Ａ）のＸＸ−ＸＸ線で断面した一部を拡大して示す左側面図である。
【符号の説明】
【００４４】
１…本発明カウンター、２…横長排水路、２ｂ…排水口、２ｃ…手前の側壁、３…カウンター本体、３ａ…カウンター本体の上面、３ｂ…下垂片、３ｇ…縁部、３ｍ，３ｎ…排水口２ｂの左右両端に隣接する部分、６…ブラケット、２２（３２，４２）…補強具、Ｗ…壁面
【図１】
0004970214.tif 000002
【図２】
0004970214.tif 000003
【図３】
0004970214.tif 000004
【図４】
0004970214.tif 000005
【図５】
0004970214.tif 000006
【図６】
0004970214.tif 000007
【図７】
0004970214.tif 000008
【図８】
0004970214.tif 000009
【図９】
0004970214.tif 000010
【図１０】
0004970214.tif 000011
【図１１】
0004970214.tif 000012
【図１２】
0004970214.tif 000013
【図１３】
0004970214.tif 000014
【図１４】
0004970214.tif 000015
【図１５】
0004970214.tif 000016
【図１６】
0004970214.tif 000017
【図１７】
0004970214.tif 000018
【図１８】
0004970214.tif 000019
【図１９】
0004970214.tif 000020
【図２０】
0004970214.tif 000021